(57)【要約】【課題】  クロストークが抑制でき、且つ部品点数や工数が低減された安価な撮像装置を提供する。【解決手段】  微小レンズアレイ２０の各微小レンズ２１は固体撮像素子１０の複数の画素１１に被写体像を結像する。固体撮像素子１０よりも被写体側に第１カラーフィルタアレイ３１が、第１カラーフィルタアレイ３１と固体撮像素子１０との間に第２カラーフィルタアレイ３２が配置される。第１，第２カラーフィルタアレイ３１，３２は同じ配置の少なくとも２種以上のカラーフィルタを備える。第１，第２カラーフィルタアレイ３１，３２のカラーフィルタと微小レンズ１０とは一対一に対応する。【選択図】  図１
2006033493.tif 000002
【特許請求の範囲】
【請求項１】
第１平面内に配置された光電変換機能を有する多数の画素を備える固体撮像素子と、第２平面内に配置された複数の微小レンズを備える微小レンズアレイとを有し、１つの前記微小レンズに対して複数の前記画素が対応し、それぞれの前記微小レンズが対応する複数の前記画素に被写体像を結像する撮像装置であって、
更に、前記第１平面に対して被写体側の第３平面内に配置された少なくとも２種以上のカラーフィルタを備える第１カラーフィルタアレイと、前記第１カラーフィルタアレイのカラーフィルタと同じ配置で前記第３平面と前記第１平面との間に位置する第４平面内に配置された少なくとも２種以上のカラーフィルタを備える第２カラーフィルタアレイとを有し、
前記第１カラーフィルタアレイの前記カラーフィルタと前記微小レンズ、及び前記第２カラーフィルタアレイの前記カラーフィルタと前記微小レンズとは、いずれも一対一に対応していることを特徴とする撮像装置。
【請求項２】
前記第１カラーフィルタアレイ及び前記第２カラーフィルタアレイは、赤色光を透過するカラーフィルタと、緑色光を透過するカラーフィルタと、青色光を透過するカラーフィルタとを含む請求項１に記載の撮像装置。
【請求項３】
前記第１カラーフィルタアレイ及び前記第２カラーフィルタアレイにおいて、同種のカラーフィルタが相互に隣り合わないように、前記２種以上のカラーフィルタが市松模様状に配置されている請求項１に記載の撮像装置。
【請求項４】
前記第３平面は、前記第２平面に対して被写体側に位置する請求項１に記載の撮像装置。
【請求項５】
前記第３平面は、前記第２平面と前記第４平面との間に位置し、前記第３平面と前記第４平面とが離間している請求項１に記載の撮像装置。
【請求項６】
前記第２カラーフィルタアレイは、固体撮像素子の入射面に近接して、又は前記入射面上に配置されている請求項１に記載の撮像装置。
【請求項７】
前記第１カラーフィルタアレイ及び前記第２カラーフィルタアレイは、赤外光を透過するカラーフィルタ及び／又は紫外光を透過するカラーフィルタを含む請求項１に記載の撮像装置。
【請求項８】
前記固体撮像素子の多数の前記画素からの信号のうち、同種の前記カラーフィルタに対応する前記画素からの信号のみを選択的に抽出する抽出回路を更に備える請求項１に記載の撮像装置。
【請求項９】
前記固体撮像素子がＣＣＤである請求項１に記載の撮像装置。
【請求項１０】
前記固体撮像素子がＣＭＯＳである請求項１に記載の撮像装置。
【発明の詳細な説明】
【技術分野】
【０００１】
本発明は撮像装置に関する。特に、多数の画素を有する固体撮像素子の被写体側の平面内に複数の微小レンズを配列した微小レンズアレイを配置した撮像装置に関する。
【背景技術】
【０００２】
近年市場規模が大きくなりつつあるデジタルスチルカメラの市場においては、より携帯性に優れた小型・薄型のカメラに対するニーズが高まってきている。信号処理を担うＬＳＩ等の回路部品は、配線パターンの微細化などにより高機能で小型化が進んでいる。また、記録メディアも小型・大容量のものが廉価にて入手できるようになってきている。しかしながら、レンズとＣＣＤやＣＭＯＳなどの固体撮像素子とで構成される撮像系の小型化は未だ十分とは言えず、より携帯性に優れたカメラを実現するためにも小型の撮像系の開発が要望されている。
【０００３】
撮像系の小型化を実現するための構成として、平面上に複数の微小レンズを配列したレンズアレイ光学系を用いた撮像装置が知られている。従来の光軸上に複数のレンズを並べた光学系は、光軸方向に長くなるため体積が増大し、またレンズ径が大きいため収差が大きくなるという問題を有していた。これに対して、レンズアレイ光学系は、光軸方向に薄くでき、かつ個々の微小レンズ径が小さいため収差を比較的小さく抑えることが可能である。
【０００４】
このようなレンズアレイを用いた撮像装置が特許文献１に開示されている。この撮像装置は、図６に示すように、被写体側から順に、複数の微小レンズ１１１ａが同一平面内に配列された微小レンズアレイ１１１と、各微小レンズ１１１ａからの光信号が互いに混信しないように分離するための格子枠状の隔壁１１２ａからなる隔壁層１１２と、多数の光電変換素子１１３ａが同一平面内に配置された受光素子アレイ１１３とを備える。１つの微小レンズ１１１ａと、これに対応する、隔壁１１２ａによって分離された１つの空間と、複数の光電変換素子１１３ａとが、１つの結像ユニット１１５を構成する。個々の結像ユニット１１５において、微小レンズ１１１ａが、対応する複数の光電変換素子１１３ａ上に被写体像を結像する。これにより、結像ユニット１１５ごとに撮影画像が得られる。この撮影画像の解像度は１つの結像ユニット１１５を構成する光電変換素子１１３ａの数（画素数）に依存する。被写体に対する個々の微小レンズ１１１ａの相対的位置が異なることにより、複数の光電変換素子１１３ａ上に形成される被写体像の結像位置が結像ユニット１１５ごとに異なる。その結果、得られる撮影画像は結像ユニット１１５ごとに異なる。この互いに異なる複数の撮影画像を信号処理することにより、一つの画像を得ることができる。
【０００５】
この撮像装置では、個々の結像ユニット１１５を構成する画素数は少ないため、個々の結像ユニット１１５から得られる撮影画像の画質は低いが、複数の結像ユニット１１５においてそれぞれ得られる少しずつずれた撮影画像を用いて信号処理して画像を再構築することにより、多数の光電変換素子で撮影した場合と同様の画質の映像を得ることができる。
【０００６】
図６の撮像装置では、微小レンズ１１１ａからの光がこの微小レンズ１１１ａと対応しない隣の結像ユニット１１５の光電変換素子１１３ａに入射する（この現象を「クロストーク」と呼ぶ）と、高画質の画像を再構築できなかったり、迷光が発生して画質が劣化したり、光損失を生じたりする。従って、クロストークを防止するために、隔壁層１１２が用いられている。特許文献１では、これと同様の効果は、隔壁層１１２に代えて、結像ユニット１１５ごとに偏向方向が直交するように偏向透過フィルタを配置した偏向フィルタアレイを微小レンズアレイ１１１面及び受光素子アレイ１１３面にそれぞれ配置しても得られると記載されている。
【特許文献１】特開２００１−６１１０９号公報
【発明の開示】
【発明が解決しようとする課題】
【０００７】
しかしながら、上記の図６の撮像装置に使用される隔壁層１１２は、各結像ユニット１１５に対応する隔壁１１２ａを形成するために、ステンレス鋼などを微細加工して高精度に組み立てられて作成される。従って、工程が煩雑で、コスト高となる。また、得られた隔壁層１１２と微小レンズアレイ１１１及び受光素子アレイ１１３とを相対的位置を厳密に管理しながら組み立てる必要があり、組立作業が煩雑となる。
【０００８】
また、隔壁層１１２の代わりに使用される偏向フィルタアレイは、回折格子や屈折型光学素子を用いて作成されるため、部品点数や組み立て工数が増加する。
【０００９】
本発明は、従来の上記の撮像装置が有する問題を解決し、クロストークが抑制でき、且つ部品点数や工数が低減された安価な撮像装置を提供することを目的とする。
【課題を解決するための手段】
【００１０】
本発明の撮像装置は、第１平面内に配置された光電変換機能を有する多数の画素を備える固体撮像素子と、第２平面内に配置された複数の微小レンズを備える微小レンズアレイとを有する。１つの前記微小レンズに対して複数の前記画素が対応し、それぞれの前記微小レンズが対応する複数の前記画素に被写体像を結像する。
【００１１】
本発明の撮像装置は、更に、前記第１平面に対して被写体側の第３平面内に配置された少なくとも２種以上のカラーフィルタを備える第１カラーフィルタアレイと、前記第１カラーフィルタアレイのカラーフィルタと同じ配置で前記第３平面と前記第１平面との間に位置する第４平面内に配置された少なくとも２種以上のカラーフィルタを備える第２カラーフィルタアレイとを有し、前記第１カラーフィルタアレイの前記カラーフィルタと前記微小レンズ、及び前記第２カラーフィルタアレイの前記カラーフィルタと前記微小レンズとは、いずれも一対一に対応している。
【発明の効果】
【００１２】
本発明によれば、同じカラーフィルタ配置を有する第１カラーフィルタアレイと第２カラーフィルタアレイとを備えるので、従来の撮像装置において必須であった隔壁層や偏光フィルタアレイを用いることなく、クロストークの発生を抑制できる。
【００１３】
クロストークを抑制できるので、画質劣化を少なくできること、また、迷光の発生を抑えることができることなどにより、高画質画像を撮影できる。
【００１４】
また、隔壁層や偏光フィルタアレイが不要であるので、組立作業を簡素化でき、また部品点数を削減できるので、安価な撮像装置を提供できる。更に、部品精度や組立精度を向上できるので、高品質の撮像装置を提供できる。
【発明を実施するための最良の形態】
【００１５】
本発明の上記撮像装置において、前記第１カラーフィルタアレイ及び前記第２カラーフィルタアレイは、赤色光を透過するカラーフィルタと、緑色光を透過するカラーフィルタと、青色光を透過するカラーフィルタとを含むことが好ましい。これにより、カラー撮影を行うことができる。
【００１６】
また、前記第１カラーフィルタアレイ及び前記第２カラーフィルタアレイにおいて、同種のカラーフィルタが相互に隣り合わないように、前記２種以上のカラーフィルタが市松模様状に配置されていることが好ましい。これにより、クロストークを低減できる。
【００１７】
また、前記第３平面は、前記第２平面に対して被写体側に位置することが好ましい。これにより、撮像装置の全体の厚みを薄くしながら、第１カラーフィルタアレイと第２カラーフィルタアレイとの間の間隔を比較的大きく確保できるので、クロストークの低減効果が向上する。
【００１８】
あるいは、前記第３平面は、前記第２平面と前記第４平面との間に位置し、前記第３平面と前記第４平面とが離間していることが好ましい。この構成でも、第１カラーフィルタアレイと第２カラーフィルタアレイとの間の間隔を確保することによりクロストークを低減することができる。
【００１９】
また、前記第２カラーフィルタアレイは、固体撮像素子の入射面に近接して、又は前記入射面上に配置されていることが好ましい。これにより、第２カラーフィルタアレイと固体撮像素子との間でのクロストークを低減できる。
【００２０】
また、前記第１カラーフィルタアレイ及び前記第２カラーフィルタアレイは、赤外光を透過するカラーフィルタ及び／又は紫外光を透過するカラーフィルタを含んでいても良い。これにより、赤外線及び／又は紫外線による撮影が可能となる。
【００２１】
また、前記固体撮像素子の多数の前記画素からの信号のうち、同種の前記カラーフィルタに対応する前記画素からの信号のみを選択的に抽出する抽出回路を更に備えていても良い。これにより、所望する特定の波長帯の光のみを選択して撮影することが可能となる。
【００２２】
前記固体撮像素子は、ＣＣＤであっても良い。あるいは、ＣＭＯＳであっても良い。
【００２３】
以下、本発明の実施の形態について、図面を参照しながら説明する。
【００２４】
（実施の形態１）
図１は、本発明の実施の形態１の撮像装置の概略構成を示した斜視図である。図２は、本発明の実施の形態１の撮像装置の、微小レンズの光軸を含む面での部分断面図である。図３（Ａ）は、本発明の実施の形態１の撮像装置において、固体撮像素子からの信号の処理の概略を示した図である。図３（Ｂ）は、本発明の実施の形態１の撮像装置において、１つの結像ユニットを構成する受光部を示した斜視図である。
【００２５】
図１から図３において、１０は第１平面内に縦横方向に配列された多数の画素１１を備える固体撮像素子（例えば、ＣＣＤやＣＭＯＳ）、２０は、第１平面と平行で且つ離間した第２平面内に縦横方向に配列された複数の微小レンズ２１を備える微小レンズアレイである。
【００２６】
３１は、第１平面と平行で、且つ第１平面よりも被写体側の第３平面内に縦横方向に配列された複数のカラーフィルタを備える第１カラーフィルタアレイである。３２は、第１平面と平行で、且つ第３平面と第１平面との間に位置する第４平面内に縦横方向に配列された複数のカラーフィルタを備える第２カラーフィルタアレイである。本実施の形態では、第１及び第２カラーフィルタアレイ３１，３２は、赤色光を選択的に透過するカラーフィルタＲと、緑色光を選択的に透過するカラーフィルタＧと、青色光を選択的に透過するカラーフィルタＢとを備え、これらが格子枠状に区分された各領域内に市松模様状に配置されている。第１カラーフィルタアレイ３１と第２カラーフィルタアレイ３２とは、カラーフィルタＲ，Ｇ，Ｂの配置に関して同一である。
【００２７】
１つの微小レンズ２１に対して、第１カラーフィルタアレイ３１を構成する赤・緑・青のうちの何れか一色のカラーフィルタ、第２カラーフィルタアレイ３２を構成する赤・緑・青のうちの何れか一色のカラーフィルタ、及び複数の画素１１が対応し、これらによって１つの結像ユニット４０が構成される。同じ結像ユニット４０を構成する第１カラーフィルタアレイ３１のカラーフィルタの色と第２カラーフィルタアレイ３２のカラーフィルタの色とは一致する。
【００２８】
被写体からの光束は、第１カラーフィルタアレイ３１にて赤緑青の何れかの色光のみが選択されてこれを透過し、複数の微小レンズ２１に入射する。各微小レンズ２１は、対応する複数の画素１１上に被写体像を形成する。微小レンズ２１を出射した赤緑青の何れかの色光は、画素１１に達する前に、第２カラーフィルタアレイ３２に入射する。第２カラーフィルタアレイ３２の各カラーフィルタは、入射光のうち、自身のカラーフィルタの色と同じ色光のみを透過させる。
【００２９】
本実施の形態の撮像装置は、上記の構成によりクロストークを防止できる。これを図２を用いて説明する。
【００３０】
例えば、被写体からの光線Ｒ１は、第１カラーフィルタアレイ３１の赤色のカラーフィルタＲに入射して、赤色の波長帯の光のみがこれを通過し、微小レンズ２１を通過後、第２カラーフィルタアレイ３２の赤色のカラーフィルタＲに入射する。この入射光は赤色の波長帯の光であるから、このカラーフィルタＲを通過することができ、画素１１上に赤色の被写体像を形成する。
【００３１】
一方、光線Ｒ１よりも大きな入射角で撮像装置に入射する被写体からの光線Ｒ２は、第１カラーフィルタアレイ３１の赤色のカラーフィルタＲに入射して、赤色の波長帯の光のみがこれを通過し、微小レンズ２１を通過後、第２カラーフィルタアレイ３２の隣の結像ユニットを構成する緑色のカラーフィルタＧに入射する。緑色のカラーフィルタＧはこの赤色の波長帯の入射光を通過させない。従って、光線Ｒ２を構成する如何なる波長帯の光も画素１１に達しない。
【００３２】
このように、本発明の撮像装置は、各結像ユニット４０が同一色のカラーフィルタを光軸方向に２層備えている。更に、第１及び第２カラーフィルタアレイ３１，３２では色の異なるカラーフィルタＲ，Ｇ，Ｂが市松模様を構成するように配置されている。即ち、任意の１つのカラーフィルタの色と、このカラーフィルタの４つの辺を挟んで縦横方向に隣り合う４つのカラーフィルタの色とが異なるように、カラーフィルタＲ，Ｇ，Ｂが配置されている。この結果、上記光線Ｒ２のように、第１カラーフィルタアレイ３１を通過後、第２カラーフィルタアレイ３２に入射するまでの間に縦横方向に隣り合う結像ユニット４０間の境界を越える光線は第２カラーフィルタアレイ３２を通過することができない。従って、クロストークの発生を防止することができる。これにより、画質劣化を少なくでき、また、迷光の発生を抑えることができる。この結果、高画質画像を撮影することができる。
【００３３】
更に、ＣＣＤや液晶表示素子に使用されるカラーフィルタにおいて汎用されているカラーフィルタアレイと同様にして、例えば第１カラーフィルタアレイ３１を微小レンズアレイ２０上に、第２カラーフィルタアレイ３２を固体撮像素子１０上に、それぞれ形成すれば良く、上述した従来の撮像装置の隔壁や偏向フィルタアレイに比べて製造を格段に簡単化でき、また、部品点数も削減できる。更に、第１及び第２カラーフィルタアレイ３１，３２自身の精度や微小レンズアレイ２０及び固体撮像素子１０に対する精度も従来に比べて向上できるので、品質が向上し且つ安定する。
【００３４】
上記の実施の形態では、第１カラーフィルタアレイ３１は微小レンズアレイ２０よりも被写体側に、第２カラーフィルタアレイ３２は微小レンズアレイ２０と固体撮像素子１０との間に配置されているが、第１及び第２カラーフィルタアレイ３１，３２の配置は、クロストークの発生が抑制できればこれに限定されない。例えば、第１カラーフィルタアレイ３１及び第２カラーフィルタアレイ３２を微小レンズアレイ２０と固体撮像素子１０との間に配置しても良い。この場合、第１カラーフィルタアレイ３１と第２カラーフィルタアレイ３２とは光軸方向に所定の距離だけ離間させることが好ましい。両者が近接していると、入射角が大きな光線は隣り合う結像ユニット４０間の境界を越えてしまうので、２枚のカラーフィルタアレイ３１，３２を用いたことが実質的に無意味となる。
【００３５】
但し、第１カラーフィルタアレイ３１、第２カラーフィルタアレイ３２、及び微小レンズアレイ２０の配置順序にかかわらず、第１カラーフィルタアレイ３１よりも固体撮像素子１０寄りに配置される第２カラーフィルタアレイ３２は、固体撮像素子１０の入射面に近接して、又は固体撮像素子１０の入射面上に配置されていることが好ましい。これにより、第２カラーフィルタアレイ３２を通過した光線が、隣り合う結像ユニット４０間の境界を越えた後、固体撮像素子１０に入射するのを低減することができる。即ち、第２カラーフィルタアレイ３２と固体撮像素子１０との間でのクロストークの発生を低減できる。
【００３６】
次に、固体撮像素子１０の各受光部１１に入射した光束から画像を得る方法を図３（Ａ）及び図３（Ｂ）を用いて説明する。
【００３７】
図３（Ａ）に示すように、結像ユニット４０ごとに、微小レンズアレイ２０の微小レンズ２１は、被写体９０の像９１を固体撮像素子１０上に結像する。固体撮像素子１０の各受光部（画素）１１は入射した光束を光電変換する。ここで、固体撮像素子１０の水平軸をｘ軸、垂直軸をｙ軸とし、位置（ｘ，ｙ）にある受光部１１からの信号をＩ（ｘ，ｙ）とすると、固体撮像素子１０に含まれる全ての受光部１１についての信号Ｉ（ｘ，ｙ）が読み出される（ステップ１０１）。
【００３８】
次に、この各受光部１１からの信号Ｉ（ｘ，ｙ）を結像ユニット４０ごとに分割する。即ち、図３（Ｂ）に示すように、受光部１１がｍ列×ｎ行に配置された結像ユニット４０内の第ｉ列、第ｋ行の位置にある受光部１１の位置を（ｉ，ｋ）(m,n)とし、この受光部１１からの信号をＩ（ｉ，ｋ）(m,n)とすると、上記各信号Ｉ（ｘ，ｙ）を結像ユニット４０内における信号Ｉ（ｉ，ｋ）(m,n)として取り扱う。この結果、結像ユニット４０ごとにｍ列×ｎ行の画素からなる画像が再構成される（ステップ１０３）。
【００３９】
その後、異なる結像ユニット４０間において、信号Ｉ（ｉ，ｋ）(m,n)を処理して１枚の画像を再構築する（ステップ１０５）。この信号処理としては、上記特許文献１に記載された方法を用いることができ、その詳細説明を省略する。結像ユニット４０内における被写体像９１の形成位置が結像ユニット４０ごとに異なるために、位置（ｉ，ｋ）が同じ受光部１１からの信号Ｉ（ｉ，ｋ）(m,n)は結像ユニット４０ごとに異なる。従って、１つの結像ユニット４０に含まれる受光部１１の数（ｍ×ｎ個）を遙かに超えた高解像度の画像が得られる。
【００４０】
（実施の形態２）
図４は、本発明の実施の形態２に係る撮像装置に搭載される第１，第２カラーフィルタアレイ７１，７２のカラーフィルタの配置を示した正面図である。図５は、本発明の実施の形態２に係る撮像装置において固体撮像素子からの信号の処理の流れを示したブロック図である
本実施の形態の撮像装置は、実施の形態１で示した３種のカラーフィルタＲ，Ｇ，Ｂを備える第１，第２カラーフィルタアレイ３１，３２に代えて、図４に示す第１，第２カラーフィルタアレイ７１，７２が使用される。この第１，第２カラーフィルタアレイ７１，７２は、実施の形態１で示した第１，第２カラーフィルタアレイ３１，３２と同様に、赤色光を選択的に透過するカラーフィルタＲ、緑色光を選択的に透過するカラーフィルタＧ、及び青色光を選択的に透過するカラーフィルタＢに加えて、更に赤外光を選択的に透過するカラーフィルタＩＲを備える。この４種のカラーフィルタＲ，Ｇ，Ｂ，ＩＲが、結像ユニット４０に対応して格子枠状に区分された各領域内に市松模様状に配置されている。実施の形態１と同様に、隣り合うカラーフィルタの色は同一ではない。これにより、実施の形態１で説明したのと同様に、第１カラーフィルタアレイ７１を通過後、第２カラーフィルタアレイ７２に入射するまでの間に隣り合う結像ユニット４０間の境界を越える光線は第２カラーフィルタアレイ７２を通過することができない。従って、クロストークの発生を防止することができる。
【００４１】
更に、本実施の形態２では、このような撮像装置からの出力信号は図５に示す映像回路５０により以下のように処理される。即ち、固体撮像素子１０の各受光部１１は被写体９０の光信号を光電変換し、出力する。映像回路５０内の抽出回路５１は、固体撮像素子１０からの信号のうち、カラーフィルタの色が同一である結像ユニット４０に含まれる受光部１１からの信号を選択的に抽出する。加算回路５２は、抽出回路５１で抽出された単色の信号に対して図３（Ａ）及び図３（Ｂ）で説明した処理を行い単色の高解像度の画像を再構築する。
【００４２】
例えば、抽出回路５１が、固体撮像素子１０からの信号のうち、赤、緑、青の３色のカラーフィルタＲ，Ｇ，Ｂに対応する結像ユニット４０からの信号を抽出すると、加算回路５２は、赤、緑、青の３色の画像を再構築する。この３色の画像を合成すれば、表示装置６０にカラー画像を表示することができる。
【００４３】
また、抽出回路５１が、固体撮像素子１０からの信号のうち、赤外光のカラーフィルタＩＲに対応する結像ユニット４０からの信号のみを抽出すると、加算回路５２は、赤外光の画像を再構築する。従って、表示装置６０に赤外線撮影画像を表示することができる。
【００４４】
このように、本実施の形態によれば、第１，第２カラーフィルタアレイ７１，７２がカラーフィルタＲ，Ｇ，Ｂに加えてカラーフィルタＩＲを備えているために、実施の形態１と同様にカラー撮影を行うことができるのはもちろん、夜間などの肉眼では視認できない暗闇での赤外線撮影も行うことができる。
【００４５】
もちろん、抽出回路５１が、赤、緑、青の３色のうちの任意の１色又は２色に対応する結像ユニット４０からの信号のみを抽出して、所望する色の画像を得ることも可能である。
【００４６】
本実施の形態２では、第１，第２カラーフィルタアレイ７１，７２が赤外光を選択的に透過するカラーフィルタＩＲを備えていたが、カラーフィルタＩＲに代えて、又はこれに加えて紫外光を選択的に透過するカラーフィルタを備えていても良い。また、赤外光や紫外光以外の特定の波長帯の光のみを透過させるカラーフィルタを備えていても良い。
【産業上の利用可能性】
【００４７】
本発明の撮像装置の利用分野は特に制限はないが、小型・薄型でありながら高解像度画像を得ることができるので、例えばデジタルスチルカメラ、携帯電話、ノート型パソコン、ＰＤＡなどの各種携帯型情報端末などに利用することができる。
【図面の簡単な説明】
【００４８】
【図１】図１は、本発明の実施の形態１の撮像装置の概略構成を示した分解斜視図である。
【図２】図２は、本発明の実施の形態１の撮像装置の、微小レンズの光軸を含む面での断面図である。
【図３】図３（Ａ）は、本発明の実施の形態１の撮像装置において、固体撮像素子からの信号の処理の概略を示した図である。図３（Ｂ）は、本発明の実施の形態１の撮像装置において、１つの結像ユニットを構成する受光部を示した斜視図である。
【図４】図４は、本発明の実施の形態２の撮像装置におけるカラーフィルタアレイを示した正面図である。
【図５】図５は、本発明の実施の形態２の撮像装置において固体撮像素子からの信号の処理の概略を示したブロック図である。
【図６】図６は、従来の撮像装置の概略構成を示した分解斜視図である。
【符号の説明】
【００４９】
１０  固体撮像素子
１１  画素
２０  微小レンズアレイ
２１  微小レンズ
３１，７１  第１カラーフィルタアレイ
３２，７２  第２カラーフィルタアレイ
４０  結像ユニット
５０  映像回路
５１  抽出回路
５２  加算回路
６０  表示装置
９０  被写体
【図１】
2006033493.tif 000003
【図２】
2006033493.tif 000004
【図３】
2006033493.tif 000005
【図４】
2006033493.tif 000006
【図５】
2006033493.tif 000007
【図６】
2006033493.tif 000008